(57)【要約】【課題】ＴＶのチャンネルが予約録画中の放送データのチャンネルと一致したときに、タイムシフト再生を自動的に行うことのできるタイムシフト再生システムを提供する。【解決手段】タイムシフト再生システム１では、ＨＤＤレコーダ１２が予約録画制御部１４に設定された予約録画中に、電源投入後のＴＶ放送受信装置１１の受信チャンネルが録画中の放送データのチャンネルと一致したときは、タイムシフト再生制御部１６が、再生制御部１５へタイムシフト再生指示信号を出力するとともに、表示データ選択部１３へＨＤＤレコーダ１２から再生される放送データを選択するよう指示する表示データ選択信号を出力する。【選択図】図１
2008271314.tif 000002
【特許請求の範囲】
【請求項１】
電源投入時に、その前の電源遮断時点で受信していたチャンネルの放送を受信するＴＶ放送受信手段と、
タイムシフト再生が可能な記録再生手段と、
入力された表示データ選択信号の指示に従って、表示装置へ出力する表示データを前記ＴＶ放送受信手段で受信した放送データとするか、前記記録再生手段から再生された放送データとするか、を選択する表示データ選択手段と、
予約録画情報にもとづいて前記ＴＶ放送の指定されたチャンネルの放送データの録画開始時刻から録画終了時刻までの録画を前記記録再生手段へ指示する予約録画制御手段と、
前記記録再生手段の再生を制御し、タイムシフト再生指示信号の入力を受けたときに前記記録再生手段へタイムシフト再生を指示する再生制御手段と、
前記記録再生手段が予約録画中に、電源投入後の前記ＴＶ放送受信手段の受信チャンネルが録画中の放送データのチャンネルと一致したときは、前記再生制御手段へタイムシフト再生指示信号を出力するとともに、前記表示データ選択手段へ前記記録再生手段から再生される放送データを選択するよう指示する表示データ選択信号を出力するタイムシフト再生制御手段と
を備えることを特徴とするタイムシフト再生システム。
【請求項２】
前記タイムシフト再生制御手段は、
前記ＴＶ放送受信手段の電源投入状況を監視する電源投入状況監視手段と、
前記ＴＶ放送受信手段で受信中のＴＶ放送データのチャンネルの情報を受信チャンネルデータとして前記ＴＶ放送受信手段から取得する受信チャンネルデータ取得手段と、
前記記録再生手段へ出力される前記予約録画制御手段からの指示を監視して前記記録再生手段が予約録画の実行中であるかどうかを判定する予約録画実行中判定手段と、
前記記録再生手段で録画中のＴＶ放送データのチャンネルの情報を録画チャンネルデータとして前記予約録画制御手段から取得する録画チャンネルデータ取得手段と、
前記受信チャンネルデータ取得手段により取得された前記受信チャンネルデータと前記録画チャンネルデータ取得手段により取得された前記録画チャンネルデータとを比較し、前記受信チャンネルデータと前記録画チャンネルデータが一致したときにチャンネルデータ一致信号を出力するチャンネルデータ比較手段と、
前記電源投入状況監視手段により検知された前記ＴＶ放送受信手段の電源投入状況、前記予約録画実行中判定手段の判定結果および前記チャンネルデータ比較手段の比較結果にもとづき、前記再生制御手段へのタイムシフト再生指示信号の出力および前記表示データ選択手段への表示データ選択信号の出力を制御する表示制御手段と
を備えることを特徴とする請求項１に記載のタイムシフト再生システム。
【請求項３】
前記表示制御手段は、
前記電源投入状況監視手段が前記ＴＶ放送受信手段への電源の投入を検知したときに前記予約録画実行中判定手段が予約録画の実行中と判定し、かつ前記チャンネルデータ比較手段が前記チャンネルデータ一致信号を出力したときは、前記再生制御手段へ前記録画開始時刻からのタイムシフト再生指示信号を出力するとともに、前記表示データ選択手段へ前記記録再生手段から再生される放送データを選択するよう指示する表示データ選択信号を出力する
ことを特徴とする請求項２に記載のタイムシフト再生システム。
【請求項４】
前記表示制御手段が、
前記再生制御手段へタイムシフト再生指示信号を出力した後に、
前記チャンネルデータ比較手段が前記受信チャンネルデータと前記録画チャンネルデータとの不一致を検出したときは、前記再生制御手段へ再生一時停止信号を出力するとともに、前記表示データ選択手段へ前記ＴＶ放送受信手段で受信している放送データを選択するよう指示し、
その後、再び、前記チャンネルデータ比較手段が前記チャンネルデータ一致信号を出力したときは、前記再生制御手段へ再生一時停止解除信号を出力するとともに、前記表示データ選択手段へ前記記録再生手段から再生される放送データを選択するよう指示する
ことを特徴とする請求項３に記載のタイムシフト再生システム。
【請求項５】
外部からＴＶ放送優先信号が入力されたときは、前記タイムシフト再生制御手段の動作を抑制し、前記表示データ選択手段が前記ＴＶ放送受信手段で受信している放送データを選択するよう制御するタイムシフト再生抑制手段をさらに備える
ことを特徴とする請求項１乃至４のいずれか１項に記載のタイムシフト再生システム。
【発明の詳細な説明】
【技術分野】
【０００１】
本発明は、タイムシフト再生システムに関する。
【背景技術】
【０００２】
ハードディスク（以下、ＨＤＤと称す）などのランダムアクセス性に優れた記録媒体を用いて、ＴＶ番組を録画しながら、同時に、既に録画済みの部分を再生するタイムシフト再生を行うタイムシフト再生装置がある（例えば、特許文献１参照。）。
【０００３】
このようなタイムシフト再生装置を使用することにより、例えば、録画予約した番組が録画されている途中でも、その番組の先頭から視聴することが可能である。
【０００４】
ところで、通常のＴＶは、電源がオフされたときのチャンネル設定を保持し、次に電源がオンされたときにそのチャンネルを映し出す機能を備えている。そのため、ＨＤＤレコーダなどに録画予約した番組が録画されているときにＴＶの電源がオンされたとき、その前に電源がオフされたときのチャンネルが録画予約したチャンネルと同じチャンネルであった場合には、録画中の番組と同じ番組をＴＶが受信し、録画中の番組をＴＶに映し出してしまう。
【０００５】
すなわち、従来のタイムシフト再生装置では、視聴者が、タイムシフト再生を行って録画中の番組を先頭から見たいと思ってＴＶの電源をオンしたときに、その番組の途中を見てしまうことがあり、番組視聴の興味が薄れるという問題があった。
【０００６】
また、録画予約した番組が録画されているときに、視聴者が、視聴中のＴＶのチャンネルをその番組のチャンネルに合わせてしまうと、やはり、録画中の番組の途中がＴＶに映し出される、という問題があった。
【特許文献１】特開２０００−３５０１３０号公報  （第６−７ページ、図３）
【発明の開示】
【発明が解決しようとする課題】
【０００７】
そこで、本発明の目的は、ＴＶのチャンネルが予約録画中の放送データのチャンネルと一致したときに、タイムシフト再生を自動的に行うことのできるタイムシフト再生システムを提供することにある。
【課題を解決するための手段】
【０００８】
本発明の一態様によれば、電源投入時に、その前の電源遮断時点で受信していたチャンネルの放送を受信するＴＶ放送受信手段と、タイムシフト再生が可能な記録再生手段と、入力された表示データ選択信号の指示に従って、表示装置へ出力する表示データを前記ＴＶ放送受信手段で受信した放送データとするか、前記記録再生手段から再生された放送データとするか、を選択する表示データ選択手段と、予約録画情報にもとづいて前記ＴＶ放送の指定されたチャンネルの放送データの録画開始時刻から録画終了時刻までの録画を前記記録再生手段へ指示する予約録画制御手段と、前記記録再生手段の再生を制御し、タイムシフト再生指示信号の入力を受けたときに前記記録再生手段へタイムシフト再生を指示する再生制御手段と、前記記録再生手段が予約録画中に、電源投入後の前記ＴＶ放送受信手段の受信チャンネルが録画中の放送データのチャンネルと一致したときは、前記再生制御手段へタイムシフト再生指示信号を出力するとともに、前記表示データ選択手段へ前記記録再生手段から再生される放送データを選択するよう指示する表示データ選択信号を出力するタイムシフト再生制御手段とを備えることを特徴とするタイムシフト再生システムが提供される。
【発明の効果】
【０００９】
本発明によれば、ＴＶのチャンネルが予約録画中の放送データのチャンネルと一致したときに、タイムシフト再生を自動的に行うことができる。
【発明を実施するための最良の形態】
【００１０】
以下、本発明の実施例を図面を参照して説明する。
【実施例１】
【００１１】
図１は、本発明の実施例１に係るタイムシフト再生システムの構成の例を示すブロック図である。
【００１２】
本実施例のタイムシフト再生システム１は、電源投入時に、その前の電源遮断時点で受信していたチャンネルの放送を受信するＴＶ放送受信装置１１と、タイムシフト再生が可能な記録再生手段であるＨＤＤレコーダ１２と、入力された表示データ選択信号の指示に従って、表示装置へ出力する表示データをＴＶ放送受信装置１１で受信した放送データとするか、ＨＤＤレコーダ１２から再生された放送データとするか、を選択する表示データ選択部１３と、外部から入力される録画予約設定にもとづいて、ＴＶ放送の指定されたチャンネルの放送データの録画開始時刻から録画終了時刻までの録画をＨＤＤレコーダ１２へ指示する予約録画制御部１４と、ＨＤＤレコーダ１２の再生を制御し、タイムシフト再生指示信号の入力を受けたときにＨＤＤレコーダ１２へタイムシフト再生を指示する再生制御部１５と、ＨＤＤレコーダ１２が予約録画中に、電源投入後のＴＶ放送受信装置１１の受信チャンネルが録画中の放送データのチャンネルと一致したときは、再生制御部１５へタイムシフト再生指示信号を出力するとともに、表示データ選択部１３へＨＤＤレコーダ１２から再生される放送データを選択するよう指示する表示データ選択信号を出力するタイムシフト再生制御部１６と、を備える。
【００１３】
次に、タイムシフト再生制御部１６の内部の構成の例について説明する。
【００１４】
タイムシフト再生制御部１６は、外部からオン／オフされるＴＶ放送受信装置１１の電源スイッチ（ＳＷ）の状態を観察し、ＴＶ放送受信装置１１の電源投入状況を監視する電源投入状況監視部１６１と、ＴＶ放送受信装置１１で受信中のＴＶ放送データのチャンネルの情報を受信チャンネルデータとしてＴＶ放送受信装置１１から取得する受信チャンネルデータ取得部１６２と、ＨＤＤレコーダ１２へ出力される予約録画制御部１３からの指示を監視してＨＤＤレコーダ１２が予約録画の実行中であるかどうかを判定する予約録画実行中判定部１６３と、ＨＤＤレコーダ１２で録画中のＴＶ放送データのチャンネルの情報を録画チャンネルデータとして予約録画制御部１４から取得する録画チャンネルデータ取得部１６４と、受信チャンネルデータ取得部１６２により取得された受信チャンネルデータと録画チャンネルデータ取得部１６４により取得された録画チャンネルデータとを比較し、受信チャンネルデータと録画チャンネルデータが一致したときにチャンネルデータ一致信号を出力するチャンネルデータ比較部１６５と、電源投入状況監視部１６１により検知されたＴＶ放送受信装置１１の電源投入状況、予約録画実行中判定部１６３の判定結果およびチャンネルデータ比較部１６５の比較結果にもとづき、再生制御部１５へのタイムシフト再生指示信号の出力および表示データ選択部１３への表示データ選択信号の出力を制御する表示制御部１６６と、を備える。
【００１５】
ここで、表示制御部１６６は、次のように動作する。
【００１６】
すなわち、電源投入状況監視部１６１がＴＶ放送受信装置１１への電源の投入を検知したときに、予約録画実行中判定部１６３が予約録画の実行中と判定し、かつチャンネルデータ比較部１６５がチャンネルデータ一致信号を出力したときは、表示制御部１６６は、再生制御部１５へ、予約録画制御部１４に設定された録画開始時刻からのタイムシフト再生指示信号を出力するとともに、表示データ選択部１３へＨＤＤレコーダ１２から再生される放送データを選択するよう指示する表示データ選択信号を出力する。
【００１７】
これにより、ＴＶ放送受信装置１１の電源スイッチがオンされたときに、ＨＤＤレコーダ１２が予約録画中であり、かつ、その予約録画中のチャンネルが、前回ＴＶ放送受信装置１１の電源スイッチがオフされたときに受信していたチャンネルと同じ場合には、ＨＤＤレコーダ１２が自動的にタイムシフト再生を開始し、録画開始時刻からの再生放送データが表示装置へ出力される。
【００１８】
その結果、視聴者は、ＨＤＤレコーダ１２の予約録画中にＴＶ放送受信装置１１の電源スイッチを入れても、予約録画中の放送の途中を見るような状況には遭遇しないで済む。
【００１９】
このようにして、タイムシフト再生が自動的に開始された後に、ＴＶ放送受信装置１１のチャンネルを変えた場合、表示制御部１６６は、次のように動作する。
【００２０】
すなわち、再生制御部１５へタイムシフト再生指示信号を出力した後に、ＴＶ放送受信装置１１のチャンネルが変えられて、チャンネルデータ比較部１６５が受信チャンネルデータと録画チャンネルデータとの不一致を検出したときは、表示制御部１６６は、再生制御部１５へ再生一時停止信号を出力するとともに、表示データ選択部１３へＴＶ放送受信装置１１で受信している放送データを選択するよう指示する。
【００２１】
その後、再びＴＶ放送受信装置１１のチャンネルが変えられて、チャンネルデータ比較部１６５がチャンネルデータ一致信号を出力するようになったときは、表示制御部１６６は、再生制御部１５へ再生一時停止解除信号を出力するとともに、表示データ選択部１３へＨＤＤレコーダ１２から再生される放送データを選択するよう指示する。
【００２２】
これにより、タイムシフト再生開始後に、ＴＶ放送受信装置１１のチャンネルが予約録画中のチャンネル以外に変えられたときは、ＨＤＤレコーダ１２のタイムシフト再生は一時停止されるとともに、ＴＶ放送受信装置１１で受信した放送データが表示装置へ出力される。したがって、視聴者は、変更したチャンネルのＴＶ放送を視聴することができる。
【００２３】
また、その後、ＴＶ放送受信装置１１のチャンネルが予約録画中のチャンネルに戻されたときは、ＨＤＤレコーダ１２のタイムシフト再生の一時停止が解除されてタイムシフト再生が再開され、その再生放送データが表示装置へ出力される。したがって、視聴者は、一時中断されていたタイムシフト再生中の放送の続きを継続して視聴することができる。
【００２４】
図２に、このような本実施例のタイムシフト再生システム１の録画予約設定時のタイムシフト再生動作の流れをフロー図で示す。このフロー図を用いて、タイムシフト再生システム１のタイムシフト再生動作の流れを説明する。
【００２５】
タイムシフト再生システム１の動作開始後、予約録画制御部１４へ録画予約が設定され（ステップＳ０１）、録画開始時刻になると、予約録画制御部１４がＨＤＤレコーダ１２へ指定されたチャンネルの録画を指示し、ＨＤＤレコーダ１２が録画を開始する（ステップＳ０２）。
【００２６】
このとき、電源投入状況監視部１６１はＴＶ放送受信装置１１の電源投入状況を監視しており、ＴＶ放送受信装置１１の電源が投入されたかどうかを判定する（ステップＳ０３）。
【００２７】
電源投入状況監視部１６１により電源がオン状態であることが検知されないときは（Ｎ）、タイムシフト再生を行う必要がないので、本フローの動作は終了する。
【００２８】
一方、電源投入状況監視部１６１により電源がオン状態であることが検知されたときは（Ｙ）、続いて、予約録画実行中判定部１６３による予約録画実行中であるかどうかの判定を行う（ステップＳ０４）。
【００２９】
このとき、録画予約設定における録画終了時刻を既に過ぎていれば、予約録画実行中判定部１６３は、予約録画の実行中ではないと判定する（Ｎ）。この場合、ＴＶ放送受信装置１１のチャンネルが録画予約されたチャンネルと一致していたとしても、録画予約された放送は既に終了しているので、現在ＴＶ放送受信装置１１で受信している放送をそのまま表示しても構わない。そこで、この場合、表示制御部１６６は、表示データ選択部１３へＴＶ放送受信装置１１で受信している放送データを選択するよう指示する（ステップＳ１４）。
【００３０】
一方、ステップＳ０４で、予約録画実行中判定部１６３が予約録画実行中と判定したときは（Ｙ）、続いて、チャンネルデータ比較部１６５からチャンネルデータ一致信号が出力されているかどうかの判定を行う（ステップＳ０５）。
【００３１】
このとき、チャンネルデータ一致信号が出力されていなければ（Ｎ）、ＴＶ放送受信装置１１のチャンネルが、予約録画中の放送のチャンネルとは異なっていることを示す。そこで、この場合も、現在ＴＶ放送受信装置１１で受信している放送をそのまま表示してよく、表示制御部１６６は、表示データ選択部１３へＴＶ放送受信装置１１で受信している放送データを選択するよう指示する（ステップＳ１４）。
【００３２】
一方、ステップＳ０５で、チャンネルデータ比較部１６５からチャンネルデータ一致信号が出力されているときは（Ｙ）、ＴＶ放送受信装置１１のチャンネルが、予約録画中の放送のチャンネルと一致していることを意味するため、そのままＴＶ放送受信装置１１で受信している放送を表示すると、予約録画中の放送の途中を見てしまうことになる。そこで、そのような状態になることを避けるために、表示制御部１６６は、再生制御部１５へ、予約録画制御部１４に設定された録画開始時刻からのタイムシフト再生指示信号を出力し（ステップＳ０６）、それとともに、表示データ選択部１３へ、ＨＤＤレコーダ１２から再生される放送データを選択するよう指示する表示データ選択信号を出力する（ステップＳ０７）。
【００３３】
これにより、ＨＤＤレコーダ１２は、予約録画の開始時点からのタイムシフト再生を開始し、その再生データが表示装置へ出力される。
【００３４】
その後、表示制御部１６６は、チャンネルデータ比較部１６５からのチャンネルデータ一致信号の出力が継続しているかどうかを監視し、ＴＶ放送受信装置１１のチャンネルが変更されたかどうかを判定する（ステップＳ０８）。
【００３５】
もし、チャンネルデータ比較部１６５からチャンネルデータ一致信号が出力されなくなったら、ＴＶ放送受信装置１１のチャンネルが変更されたと判定する（Ｙ）。この場合、表示制御部１６６は、再生制御部１５へ再生一時停止信号を出力し（ステップＳ０９）、それとともに、表示データ選択部１３へＴＶ放送受信装置１１で受信している放送データを選択するよう指示する（ステップＳ１０）。
【００３６】
これにより、ＨＤＤレコーダ１２のタイムシフト再生が一時停止されるとともに、ＴＶ放送受信装置１１で受信した変更後のチャンネルの放送データが表示装置へ出力される。
【００３７】
引き続き、表示制御部１６６は、チャンネルデータ比較部１６５から再びチャンネルデータ一致信号が出力されるようになったかどうかを監視し、ＴＶ放送受信装置１１のチャンネルが元に戻されたかどうかを判定する（ステップＳ１１）。
【００３８】
このとき、チャンネルデータ比較部１６５からチャンネルデータ一致信号が出力されないときは、ＴＶ放送受信装置１１のチャンネルは元に戻されていないと判定し（Ｎ）、ステップＳ１０へ戻る。
【００３９】
一方、チャンネルデータ比較部１６５からチャンネルデータ一致信号が出力されるようになったときは、ＴＶ放送受信装置１１のチャンネルが元に戻されたと判定する（Ｙ）。この場合、表示制御部１６６は、再生制御部１５へ再生一時停止解除信号を出力する。これにより、ＨＤＤレコーダ１２のタイムシフト再生が再開される（ステップＳ１２）。
【００４０】
また、表示制御部１６６は、表示データ選択部１３へ、ＨＤＤレコーダ１２から再生される放送データを選択するよう指示する表示データ選択信号を出力する（ステップＳ０７へ戻る）。
【００４１】
これに対して、ステップＳ０８の判定において、チャンネルデータ比較部１６５からチャンネルデータ一致信号の出力が継続しているときは、表示制御部１６６は、ＴＶ放送受信装置１１のチャンネルは変更されていないと判定し（Ｎ）、引き続き、再生制御部１５からの情報をもとにＨＤＤレコーダ１２のタイムシフト再生が録画終了時刻まで再生されたかどうかを判定する（ステップＳ１３）。
【００４２】
このとき、録画終了時刻までの再生が終了していないと判定したときは（Ｎ）、ステップＳ０８へ戻って、以降のステップの動作を繰り返す。
【００４３】
一方、録画終了時刻までの再生が終了したと判定したときは（Ｙ）、表示制御部１６６は、表示データ選択部１３へＴＶ放送受信装置１１で受信している放送データを選択するよう指示し（ステップＳ１４）、本フローの動作を終了する。
【００４４】
このような本実施例によれば、ＨＤＤレコーダ１２で予約録画の録画を行っているときに、ＴＶ放送受信装置１１の電源がオンされ、そのときのＴＶ放送受信装置１１の受信チャンネルがＨＤＤレコーダ１２で予約録画中の放送チャンネルと一致したときは、予約録画中の放送データのタイムシフト再生が自動的に開始され、予約録画中の放送データをその録画開始時刻から出力することができる。これにより、視聴者は、予約録画中の放送の途中を先に見てしまうことがなく、その放送を十分に楽しむことができる。
【００４５】
また、タイムシフト再生の途中でＴＶ放送受信装置１１のチャンネルが変更されたときは、タイムシフト再生を一時停止し、ＴＶ放送受信装置１１で受信した変更後のチャンネルの放送データを出力することができる。これにより、視聴者は、変更したチャンネルのＴＶ放送を自動的に視聴することができる。
【００４６】
さらに、タイムシフト再生の一時停止後に、ＴＶ放送受信装置１１のチャンネルが元に戻されたら、ＨＤＤレコーダ１２のタイムシフト再生の一時停止を解除してタイムシフト再生を再開し、その再生データを出力することができる。これにより、視聴者は、一時停止した場面の続きを自動的に視聴することができる。
【実施例２】
【００４７】
上述の実施例１では、ＨＤＤレコーダ１２で予約録画の録画を行っているときに、ＴＶ放送受信装置１１の電源がオンされ、その受信チャンネルがＨＤＤレコーダ１２で予約録画中の放送チャンネルと同一であるときは、自動的にＨＤＤレコーダ１２のタイムシフト再生が実行されるタイムシフト再生システムの例を示した。
【００４８】
しかし、場合によっては、ＴＶ放送受信装置１１の受信チャンネルがＨＤＤレコーダ１２で予約録画中の放送チャンネルと同一であっても、現時点のＴＶ放送を視聴したいときがある。
【００４９】
そこで、本実施例では、外部からＴＶ放送優先信号を入力することにより、ＴＶ放送受信装置１１の受信チャンネルがＨＤＤレコーダ１２で予約録画中の放送チャンネルと同一であっても、ＴＶ放送の視聴を可能とする、タイムシフト再生システムの例を示す。
【００５０】
図３は、本実施例のタイムシフト再生システムの構成の例を示すブロック図である。
【００５１】
本実施例のタイムシフト再生システム２は、実施例１のタイムシフト再生システム１に、ＴＶ放送優先信号の入力を受けたときにタイムシフト再生制御部１６の動作を抑制するタイムシフト再生抑制部２１を追加したものである。そこで、図３において、図１と同一の機能を有するブロックには図１と同一の符号を付し、ここではその詳細な説明を省略する。
【００５２】
タイムシフト再生抑制部２１は、外部から入力されるＴＶ放送優先信号に応じて、タイムシフト再生制御部１６のタイムシフト再生制御に関する動作を制御する。
【００５３】
ＴＶ放送優先信号がＴＶ放送優先を指示するときは、タイムシフト再生制御部１６へ、タイムシフト再生指示信号を出力しないように指示するとともに、ＴＶ放送受信装置１１で受信している放送データを選択する指示を表示データ選択部１３へ出力するように指示する。
【００５４】
一方、ＴＶ放送優先信号によるＴＶ放送優先の指示がないときは、実施例１の場合と同じ動作をするように、タイムシフト再生制御部１６へ指示する。
【００５５】
図４に、本実施例のタイムシフト再生システム２の動作フロー図を示す。
【００５６】
タイムシフト再生システム２の動作開始後、タイムシフト再生抑制部２１は、ＴＶ放送優先信号によるＴＶ放送優先の設定がされているかどうかをチェックする（ステップＳ２１）。
【００５７】
このとき、ＴＶ放送優先の設定がされていれば（Ｙ）、タイムシフト再生制御部１６へタイムシフト再生動作の抑制を指示する（ステップＳ２２）。その結果、タイムシフト再生制御部１６からタイムシフト再生指示信号が出力されることはなく、また、表示データ選択部１３はＴＶ放送受信装置１１で受信している放送データを選択する（ステップＳ２３）。
【００５８】
一方、ステップＳ２１のチェックで、ＴＶ放送優先信号によるＴＶ放送優先の設定が行われていないことが判明したときは（Ｎ）、タイムシフト再生制御部１６へタイムシフト再生動作の実行を指示する（ステップＳ２４）。この場合、タイムシフト再生制御部１６は、実施例１と同様、図２に示したフロー図に沿った動作を行う。
【００５９】
このような本実施例によれば、ＨＤＤレコーダ１２で予約録画の録画を行っているときに、ＴＶ放送受信装置１１の電源がオンされ、その受信チャンネルがＨＤＤレコーダ１２で予約録画中の放送チャンネルと同一であるときに、ＨＤＤレコーダ１２のタイムシフト再生を実行するかどうかを外部信号により選択することができる。これにより、視聴者は、予約録画中であっても、そのチャンネルの現在のＴＶ放送を視聴することができる。
【００６０】
なお、上述の各実施例では、タイムシフト再生が可能な記録再生手段として、ＨＤＤを記録媒体とするＨＤＤレコーダを例にとって示したが、半導体メモリなど、記録と再生が同時に可能な他の記録媒体を用いたレコーダを用いてもよい。
【図面の簡単な説明】
【００６１】
【図１】本発明の実施例１に係るタイムシフト再生システムの構成の例を示すブロック図。
【図２】本発明の実施例１に係るタイムシフト再生システムの動作の流れを示すフロー図。
【図３】本発明の実施例２に係るタイムシフト再生システムの構成の例を示すブロック図。
【図４】本発明の実施例２に係るタイムシフト再生システムの動作の流れを示すフロー図。
【符号の説明】
【００６２】
１、２  タイムシフト再生システム
１１  ＴＶ放送受信装置
１２  ＨＤＤレコーダ
１３  表示データ選択部
１４  予約録画制御部
１５  再生制御部
１６  タイムシフト再生制御部
１６１  電源投入状況監視部
１６２  受信チャンネルデータ取得部
１６３  予約録画実行中判定部
１６４  録画チャンネルデータ取得部
１６５  チャンネルデータ比較部
１６６  表示制御部
２１  タイムシフト再生抑制部
【図１】
2008271314.tif 000003
【図２】
2008271314.tif 000004
【図３】
2008271314.tif 000005
【図４】
2008271314.tif 000006